(57)【要約】      （修正有）【課題】形状として特色性があり、外観的美観もあり、使用性もよく、高級品として適用可能な複数貴金属板折り曲げ体を提供する。【解決手段】幅寸法及び／又は厚みが同一又は異なる２枚又は多数枚の貴金属板を直角又は等しい交角でその一端部を互に固着して夫々の貴金属板を順次１８０°づつ折り曲げて形成される折り曲げ体であって、該折り曲げ体は、その開放端を固着するリング体又は固着しない細長体とからなる。【選択図】図２
0003169148.tif 000002
【実用新案登録請求の範囲】
【請求項１】
幅寸法及び／又は厚みが同一又は異なる２枚又は多数枚の貴金属板を直角又は等しい交角でその一端部を互に固着して夫々の前記貴金属板を順次１８０°づつ折り曲げて形成される折り曲げ体であって、該折り曲げ体は、その開放端を固着するリング体又は固着しない細長体とからなることを特徴とする複数貴金属板折り曲げ体。
【請求項２】
前記リング体が、平面状の形態から捩れ形態に捩れ曲げされたものからなることを特徴とする請求項１乃至３のいずれかに記載の複数貴金属板折り曲げ体。
【請求項３】
複数個の前記リング体が互に一直線状に連結して形成するものからなることを特徴とする請求項１に記載の複数貴金属板折り曲げ体。
【請求項４】
複数個の前記リング体が、その外縁を互に連結して集合体を形成したものからなることを特徴とする請求項１に記載の複数貴金属板折り曲げ体。
【請求項５】
前記リング体が、同心状に複数個嵌り込み収納されて同心リング状体を形成するものからなることを特徴とする請求項１に記載の複数貴金属板折り曲げ体。
【請求項６】
前記細長体が、渦巻き状に巻回されたものからなることを特徴とする請求項１に記載の複数貴金属板折り曲げ体。
【請求項７】
前記請求項１乃至６に記載の複数貴金属板折り曲げ体は、その外面に模様を設けたものからなることを特徴とする請求項１乃至６のいずれかに記載される複数貴金属板折り曲げ体。
【考案の詳細な説明】
【技術分野】
【０００１】
本考案は、交角する複数枚の貴金属板を互に１８０°づつ折り曲げて折り曲げを形成してなる複数貴金属板折り曲げ体に関する。
【背景技術】
【０００２】
例えば、指輪は貴金属等とからなるリング状体からなり、ブレスレットやペンダントは前記のリング体等を複数個連結したリング体から形成され、その形状，内容，材質等は各種のものが従来より数多く採用されている。しかしながら、本考案のように２枚又は複数枚の貴金属板をその一端部を固着して折り曲げて形成されるものは本願考案の考案者の先行技術調査によっては見出されず、やや関連する公知技術として「特許文献１」が挙げられる。
【先行技術文献】
【特許文献】
【０００３】
【特許文献１】実用新案登録第３０９０３７９号（図１）
【考案の概要】
【考案が解決しようとする課題】
【０００４】
「特許文献１」の「実用新案登録第３０９０３７９号」の「指輪」は一応金属製の弾性片を折り曲げてリング状体にするものであるが、その図面や明細書の内容にあるようにこの指輪は外縁そのものは折り曲げられたものでなく円滑なものからなり、その端部が互に連結してリング径の拡縮を可能のものにする点に特徴があり、本願考案とは相異するものである。また、その他の公知技術として後に説明する本願考案と近似するものは見当らない。
【０００５】
リング体を形成する場合に単に板体をリング体に形成してその外内面に色々な形状工夫をしたり、ダイヤモンドやパール等の高級品を取り付けるものが多いが、外縁が折り曲げ体からなり、例えば折り曲げ体の連結形成によって作成されるリング体は形状が複雑でそれ自体として美観があると共に全体として従来のものと差別的形状があり、内径も少量ではあるが拡縮可能であり、かつ捩れや同心収納も可能であり芸術的美観と技術的特性を有するものに形成される。
【０００６】
本考案は、以上の事情に鑑みて考案されたものであり、形状として特色性があり、外観的美観もあり、使用性もよく、高級品として適用可能な複数貴金属板折り曲げ体を提供することを目的とする。
【課題を解決するための手段】
【０００７】
本考案は、以上の目的を達成するために、幅寸法及び／又は厚みが同一又は異なる２枚又は多数枚の貴金属板を直角又は等しい交角でその一端部を互に固着して夫々の前記貴金属板を順次１８０°づつ折り曲げて形成される折り曲げ体であって、該折り曲げ体は、その開放端を固着するリング体又は固着しない細長体とからなることを特徴とする。
【０００８】
また、請求項２の考案は、前記リング体が、平面状の形態から捩れ形態に捩れ曲げされたものからなることを特徴とする。
【０００９】
また、請求項３の考案は、複数個の前記リング体が互に一直線状に連結して形成するものからなることを特徴とする。
【００１０】
また、請求項４の考案は、複数個の前記リング体が、その外縁を互に連結して集合体を形成したものからなることを特徴とする。
【００１１】
また、請求項５の考案は、前記リング体が、同心状に複数個嵌り込み収納されて同心のリング状体を形成するものからなることを特徴とする。
【００１２】
また、請求項６の考案は、前記細長体が、渦巻き状に巻回されたものからなることを特徴とする。
【００１３】
また、請求項７の考案は、前記請求項１乃至６に記載の複数貴金属板折り曲げ体は、その外面に模様を設けたものからなることを特徴とする。
【考案の効果】
【００１４】
本考案の請求項１の複数貴金属板折り曲げ体によれば、２枚又は複数枚の貴金属板を互に１８０°づつ折り曲げることにより折り曲げ体が形成され、これをリング体又は細長体とすることにより各種の製品が形成され、美観の向上が図られ、使用者に喜びと楽しさを与えることができる。
【００１５】
また、本考案の請求項２の複数貴金属板折り曲げ体によれば、リング体は平面状のものに形成される他に捩り形態にすることができ、更に差別化のある美観を形成でき、用途の拡大を図る効果を上げることができる。
【００１６】
また、本考案の請求項３の複数貴金属板折り曲げ体によれば、リング体を一直線上に連結し、リング体を形成することにより例えば、ブレスレットやイヤリングのようなものに適用され、用途の拡大と美観の向上を図ることができる。
【００１７】
また、本考案の請求項４の複数貴金属板折り曲げ体によれば、リング体をその外縁を互に連結して集合体を形成することが出来、複雑形状の美観のある集合体状の折り曲げ体を形成できる効果が上げれる。
【００１８】
また、本考案の請求項５の複数貴金属板折り曲げ体によれば、リング体を同心状に配設したものからなり、一層の美観の向上と高級感を与えることができる。
【００１９】
また、本考案の請求項６の複数貴金属板折り曲げ体によれば、細長体を渦巻き状に巻回することにより、特別な高級的美観を形成することができる。
【００２０】
また、本考案の請求項７の複数貴金属板折り曲げ体によれば、折り曲げ体の外面に各種の模様をつけることにより、一層の高級感を与えることができ、差別化の効果を上げることができる。
【図面の簡単な説明】
【００２１】
【図１】本考案における２枚の貴金属板を用いて折り曲げ体を形成する方法を説明する平面図［（ａ），（ｃ），（ｅ），（ｇ），（ｉ）］及び夫々の平面図の側面図［（ｂ），（ｄ），（ｆ），（ｈ），（ｊ）］及び途中の折り曲げ形状を示す斜視図［（ｋ），（ｍ）］。
【図２】本考案における２枚の貴金属板を用いた折り曲げ体を示す斜視図。
【図３】図２と同じリング体の視方向を変えた斜視図。
【図４】図２，図３より小型の折り曲げ体を示す平面図。
【図５】図４の視方向を変えた斜視図。
【図６】幅寸法を変えて２枚の貴金属板を折り曲げて形成された折り曲げ体の斜視図。
【図７】図６の平面図。
【図８】幅寸法の大きく異なる２枚の貴金属板を折り曲げて形成される折り曲げの途中の折り曲げ体を示す斜視図。
【図９】図８の視方向を変えた斜視図。
【図１０】折り曲げを形成する前の複数（図示では３枚）の貴金属板の配設状態を示す平面図。
【図１１】図１０の３枚の貴金属板を折り曲げて形成された折り曲げ体の平面図。
【図１２】図１１の斜視図。
【図１３】図４，図５に示した折り曲げ体を捩り曲げして形成される折り曲げ体を示す平面図。
【図１４】単一の折り曲げ体を複数個一直線状に配置し、例えばブレスレットやペンダント等を形成してなるリング状の折り曲げ体を示す模式図。
【図１５】単一の折り曲げ体をその外縁を互に連結して集合体の折り曲げ体を示す模式図。
【図１６】単体の折り曲げ体を同心状に収納してなる折り曲げ体を示す平面図。
【図１７】細長体を渦巻き状に巻回してなる折り曲げ体を示す平面図。
【考案を実施するための形態】
【００２２】
以下、本考案の複数貴金属板折り曲げ体の実施の形態を図面を参照して詳述する。
【実施例１】
【００２３】
本考案は２枚の貴金属板を用いた複数貴金属板折り曲げ体の実施例である。
図２乃至図９は２枚の貴金属板を用いて形成された折り曲げ体１，１Ａ，１Ｂ，１Ｃを示す図面であり、これ等は図１に示す方法により形成されたものである。なお、本実施例では貴金属板として２枚の貴金属板４（Ａで示す），貴金属板５（Ｂ）を使用したものであり、（以下、これ等をＡ及びＢと称呼する）これ等の貴金属板Ａ，Ｂは、例えば金や銀等の細長の板材を用いたものであるがこれに限定するものではなく、他の金属でもよく、また、Ａ及びＢは同一又は異種のものでもよい。また、Ａ及びＢはその幅寸法や厚みの同一又は相違するものでもよい。
【００２４】
まず、図１（ａ）に示すようにＡ，Ｂを直角に配置しその端部を固着する。固着手段としては任意のものでもよいが、例えば、強力の透明接着剤によるものが一例として挙げられる。なお、図１（ｂ）は図１（ａ）の側面図である。
【００２５】
図１（ｃ）は図１（ａ），（ｂ）の状態にあるＢを１８０°折り曲げたものからなり、図１（ｄ）はその側面図である。
【００２６】
図１（ｅ）は図１（ｃ），（ｄ）にあるＡを１８０°折り曲げたものであり、図１（ｆ）はその側面図である。
【００２７】
図１（ｇ）は図１（ｅ），（ｆ）にあるＢを１８０°折り曲げたものであり、図１（ｈ）はその側面図である。
【００２８】
図１（ｉ）は図１（ｇ），（ｈ）にあるＡを１８０°折り曲げたものであり、図１（ｊ）はその側面図である。
【００２９】
以上において説明した方法により更にＡ，Ｂを順次１８０°づつ折り曲げて行くと次第に三角状の折り曲げが外面に形成され、例えば、図１（ｋ）に示すような形となる。これを更に進めると図１（ｍ）に示すものとなり、更に進めてその開口端を接合すると図２乃至図５に示した折り曲げ体１，１Ａを形成することができる。
なお、図示では明確ではないが、図２乃至図５の１，１Ａの全体をヤスリ掛け等により仕上げることにより全体として円滑なリング体が形成されることになる。
【実施例２】
【００３０】
実施例１は幅寸法や厚みの同一のＡ及びＢを用いて形成されたリング状の複数貴金属板折り曲げ体を形成したものからなるが、図６及び図７は幅寸法の相異する２枚の貴金属板を用いた折り曲げ体１Ｂを示すものであり実施例１のものと異なる美観を形成することができる。
【実施例３】
【００３１】
図８及び図９は２枚の貴金属板の幅寸法が大きく相違するものによって形成された折り曲げ体１Ｃを示すものであり、更に差別化のある美観を形成することができる。
【実施例４】
【００３２】
実施例１乃至３の折り曲げ体は２枚の貴金属板４（Ａ），５（Ｂ）を交互に折り曲げて形成されたものであるが、実施例４では図１０に示すように３枚の貴金属板４（Ａ），５（Ｂ）及び６（Ｃ）を等間隔（交角１２０°）に配置し、Ａ，Ｂ，Ｃを順次１８０°折り曲げて形成される折り曲げ体２を示すものであり、その完成形態が図１１，図１２に示されている。この折り曲げ形成方法については実施例１の場合と同様であり、重複説明は省略する。
【実施例５】
【００３３】
実施例５は図１３に示すように実施例１等において示した折り曲げ体１Ａを捩れ曲げした折り曲げ体１Ａ′を示すものである。折り曲げ体は実施例１等のように平面状に形成されるのが通常であるが、これを捩れ加工することにより通常のものと異なる異種的な美観を形成することができ、一層の差別化ができ用途の拡大を図ることができる。
【実施例６】
【００３４】
図１４は以上において説明した各種の折り曲げ体１，１Ａ，１Ａ′，１Ｂ，１Ｃや２を一直線上に連結してリング状体の折り曲げ体３を形成したものであり、単一の折り曲げ体は指輪等に使用されるものとすれば、本体のものはブレスレットやイヤリング等に使用されるものである。この形態により、一層の利用価値を上げることができる。
【実施例７】
【００３５】
図１５は前記した各種の折り曲げ体１，１Ａ，１Ａ′，１Ｂ，１Ｃや２等をその外縁を互に連結し、集合体状の折り曲げ体７を形成した実施例を示すものである。これにより、美観の一層の向上と高級感を生じさせることができる。
【実施例８】
【００３６】
図１６は図４や図５に示した単一の折り曲げ体を同心状に収納した折り曲げ体８を示すものである。これにより、更に複雑で高級感のある折り曲げ体を形成することができる。なお、この実施例は２個の折り曲げ体から形成され、その単一の折り曲げ体も図４や図５に示したものが示されているがその個数や内容は限定されるものではなく、各種のものが使用される。
【実施例９】
【００３７】
図１７は細長の折り曲げ体（細長体）を渦巻き状に巻回してなる折り曲げ体９を示すものであり、図示のように一層の美観を形成することができる。
【００３８】
本考案は以上の説明の内容のものからなるが、本考案は以上の内容に限定されるものではなく、同一技術的範疇のものが適用されることは勿論である。
【産業上の利用可能性】
【００３９】
本考案の複数貴金属板折り曲げ体は例えば指輪やブレスレットやペンダント等に使用されるが、勿論これ等に限定するものではなく、美術品や装飾品や芸術品として多方向に使用され、その利用範囲は極めて広い。
【符号の説明】
【００４０】
１      ２枚の貴金属板を用いた折り曲げ体
１Ａ    ２枚の貴金属板を用いた折り曲げ体
１Ａ′  １Ａのものを捩じ曲げしてなる折り曲げ体
１Ｂ    幅の異なる２枚の貴金属板を用いた折り曲げ体
１Ｃ    幅寸法の大きく異なる２枚の貴金属板を用いた折り曲げ体
２      ３枚の貴金属板を用いた折り曲げ体
３      単一の折り曲げ体を一直線状に配設したリング状の折り曲げ体
４      貴金属板（Ａ）
５      貴金属板（Ｂ）
６      貴金属板（Ｃ）
７      単一の折り曲げ体をその外縁を連結してなる重合体状の折り曲げ体
８      単一の折り曲げ体を同心状に配設してなる折り曲げ体
９      細長体を渦巻き状に巻回してなる折り曲げ体
【図１】
0003169148.tif 000003
【図２】
0003169148.tif 000004
【図３】
0003169148.tif 000005
【図４】
0003169148.tif 000006
【図５】
0003169148.tif 000007
【図６】
0003169148.tif 000008
【図７】
0003169148.tif 000009
【図８】
0003169148.tif 000010
【図９】
0003169148.tif 000011
【図１０】
0003169148.tif 000012
【図１１】
0003169148.tif 000013
【図１２】
0003169148.tif 000014
【図１３】
0003169148.tif 000015
【図１４】
0003169148.tif 000016
【図１５】
0003169148.tif 000017
【図１６】
0003169148.tif 000018
【図１７】
0003169148.tif 000019
【手続補正書】
【提出日】平成23年2月3日(2011.2.3)
【手続補正１】
【補正対象書類名】実用新案登録請求の範囲
【補正対象項目名】請求項２
【補正方法】変更
【補正の内容】
【請求項２】
前記リング体が、平面状の形態から捩れ形態に捩れ曲げされたものからなることを特徴とする請求項１に記載の複数貴金属板折り曲げ体。